(57)【特許請求の範囲】
【請求項１】
容器の口部に装着されたキャップと該キャップに装着された上蓋とからなる液体注出キャップであって、
キャップは、周壁と頂壁とを具え、
頂壁には、外側に、上端部外周にストッパー突条を設けた嵌合筒と、内側に、シール筒とを立設し、中央に支持杆を介して弁棒を架設しており、
上蓋は、頂部と外周壁とを具え、
頂部中央に、弁棒が嵌合する開口部を穿設し、その外側に、上蓋を引き上げるときにシール筒内周に摺接して液密性を維持する膨出突条を下端外周に突設した内筒を垂設しており、
外周壁は、その内周面を嵌合筒のストッパー突条に摺接させるとともに、内周下端に、嵌合筒外周に摺接するストッパーを設けたことを特徴とする液体注出キャップ。
【請求項２】
キャップの周壁の上端外周に、係止突条を設け、
上蓋の外周壁の外周下端に、連結杆を介して、上端を押圧部とし下端内側にロック片を設けた押ボタンを連設して、ロック片を係止突条に係止するようにしたことを特徴とする請求項１記載の液体注出キャップ。
【発明の詳細な説明】
【技術分野】
【０００１】
本発明は、台所洗剤、シャンプー、化粧品等の内容液を排出するのに適した液体注出キャップに関するものである。
【背景技術】
【０００２】
容器本体の口頸部に螺合する円筒部の頂壁に嵌合筒を立設するとともに、該嵌合筒内に同心状に弁棒を液体流出路を設けて立設したキャップ本体と、前記嵌合筒に嵌合する内筒と外筒を立設するとともに、中央部に前記弁棒が嵌合可能な開口部を設けた可動蓋体とを嵌合させて液体注出キャップを構成し、キャップ本体の嵌合筒を、可動蓋体の内筒と外筒により挟み込み、シール部とストッパーを共用させた液体注出キャップは、従来より知られている（例えば、特許文献１参照）。
【特許文献１】特開２０００−１６４５１号公報
【発明の開示】
【発明が解決しようとする課題】
【０００３】
しかしながら、上記特許文献１記載の液体注出キャップでは、キャップ本体の嵌合筒を、可動蓋体の内筒と外筒により挟み込み、シール部とストッパーを共用しているため、成形等のバラツキにより可動蓋体の引上げ、押下げ操作が固くなることがあり、また、台所等で使用するとき開口部を開け放しにし、転倒により内容液を流出させるという問題もあった。
【０００４】
また、注出時に液垂れすることがあり、次回使用時に指等が滑り、蓋が開け難くなる等の問題もあった。
【０００５】
本発明は、上記問題を解決することを課題とし、キャップ本体の嵌合筒を、上蓋の内筒と外筒により挟み込まれる内外二重の筒壁により、シール部とストッパーを別個とし、上蓋の上下動操作をスムーズにするとともに、さらに、流通時に容易に上蓋が開かないようにロックし、使用時に簡単に上蓋が開けられる液体注出キャップを提供することを目的とする。
【課題を解決するための手段】
【０００６】
本発明は、上記の問題を解決するため、液体注出キャップとして、容器の口部に装着されたキャップと該キャップに装着された上蓋とからなる液体注出キャップであって、キャップは、周壁と頂壁とを具え、頂壁には、外側に、上端部外周にストッパー突条を設けた嵌合筒と、内側に、シール筒とを立設し、中央に支持杆を介して弁棒を架設しており、上蓋は、頂部と外周壁とを具え、頂部中央に、弁棒が嵌合する開口部を穿設し、その外側に、上蓋を引き上げるときにシール筒内周に摺接して液密性を維持する膨出突条を下端外周に突設した内筒を垂設しており、外周壁は、その内周面を嵌合筒のストッパー突条に摺接させるとともに、内周下端に、嵌合筒外周に摺接するストッパーを設けたことを特徴とする構成を採用する。
【０００７】
引上げ操作を容易にするため、上記構成に付加して、キャップの周壁の上端外周に、係止突条を設け、上蓋の外周壁の外周下端に、連結杆を介して、上端を押圧部とし下端内側にロック片を設けた押ボタンを連設して、ロック片を係止突条に係止するようにしたことを特徴とする構成を採用する。
【発明の効果】
【０００８】
キャップの頂壁に、嵌合筒とシール筒を立設し、上蓋に設けた内筒と外周壁を摺接させるようにしているので、上蓋の引上げ、押下げ操作がスムーズにできるようになった。
また、上蓋の外周壁に押ボタンを設け、押圧部を押して上蓋を引上げることができるので、外周壁に付着した内容液によって、手が滑ったり、汚れたりすることがなくなった。
【発明を実施するための最良の形態】
【０００９】
次に、本発明の液体注出キャップについて、実施例をあげ、図面を参照して説明する。
【実施例】
【００１０】
図１において、Ａは容器、Ｂはキャップ、Ｃは上蓋である。
【００１１】
容器Ａは、口部１を具えており、口部１には、キャップが螺合するねじ２が設けられている。
【００１２】
図１、図２に示すように、キャップＢは、上部周壁３と螺合筒４とからなる周壁と、頂壁５とを具えており、螺合筒４の内周には、口部１のねじ２に螺合するねじ６が螺設され、上部周壁３の上端外周には、係止突条７が設けられている。
頂壁５には、外側に、上端部外周にストッパー突条８を設けた嵌合筒９が立設され、内側に、嵌合筒９と同じ高さのシール筒１０が立設されている。
頂壁５の中央には、支持杆１１を介して、弁棒１２が架設されている。
【００１３】
図１、図３に示すように、上蓋Ｃは、ドーム状の頂部１３と外周壁１４とを具え、頂部１３中央には、弁棒１２が嵌合する開口部１５が穿設され、その外側には、シール筒１０内周に摺接する膨出突条１６を下端に突設した内筒１７が垂設されている。
外周壁１４の内周下端には、嵌合筒９外周に摺接するストッパー１８が設けられ、外周下端には、一対の連結杆１９が突設され、押ボタン２０が連設されている。
押ボタン２０の上端は、押圧部２１となっており、下端内側には、キャップＢの係止突条７に係止されるロック片２２が突設されている。
【００１４】
次に、本発明の液体注出キャップの使用態様と作用効果について、説明する。
内容液を注出するときには、図１のキャップＢ、上蓋Ｃが閉じている状態から押ボタン２０の押圧部２１を手指で把持して、押圧すると、ロック片２２が、上部周壁３の係止突条７を乗り越え、上蓋Ｃを上方に引き上げることができ、図４に示すように、弁棒１２が開口部１５から離れ、開口部１５が開放された状態にできる。
【００１５】
その際、上蓋Ｃの外周壁１４の下端内周に設けたストッパー１８は、キャップＢの嵌合筒９の上端部外周に設けたストッパー突条８に当接するまで嵌合筒９外周に摺接し、同時に内筒１７の膨出突条１６は、図４に示すように、シール筒１０内周に摺接することによって、上蓋Ｃの引き上げ操作が容易に行われるようになり、さらに、シール筒１０と嵌合筒９の二つの筒体を用いることによって上蓋Ｃと嵌合させているので、嵌合を緩く設定できると同時に、液密性を高めることができる。
また、成形時の寸法のバラツキも吸収できるようになった。
【００１６】
また、上蓋Ｃの外周壁１４に押ボタン２０を設け、押ボタン２０を介して上蓋Ｃを引上げることができるので、以前に使用したときに開口部１５から液垂れしていても、外周壁１４に付着した内容液に触れることはない。
したがって、付着した内容液によって、手指が滑ったり、汚れたりすることをなくすことができた。
【００１７】
前記実施例では、容器Ａ口部１にねじ２を設け、キャップＢの螺合筒４を螺合するようにしたが、ねじに換え、係合突条を設け、螺合筒４に換え、係合突条を設けた係合筒を嵌着するようにしてもよい。
【産業上の利用可能性】
【００１８】
本発明は、キャップ本体に、嵌合筒とシール筒を内外二重の筒壁により、シール部とストッパーを別個に形成しているから、上蓋の引上げ、押下げ操作がスムーズに行われるようになった。
そのため、洗剤、化粧料等種々な内容液を収容した液注出容器として、広く利用できるようになった。
【図面の簡単な説明】
【００１９】
【図１】本発明の液体注出キャップの縦断立面図である。
【図２】キャップの説明図で、（ａ）は上面図、（ｂ）は断面立面図である。
【図３】上蓋の説明図で、（ａ）は上面図、（ｂ）は断面立面図である。
【図４】キャップの作動状態を示した縦断立面図である。
【符号の説明】
【００２０】
Ａ        容器
Ｂ        キャップ
Ｃ        上蓋
１        口部
２、６    ねじ
３        上部周壁
４        螺合筒
５        頂壁
７        係合突条
８        ストッパー突条
９        嵌合筒
１０      シール筒
１１      支持杆
１２      弁棒
１３      頂部
１４      外周壁
１５      開口部
１６      膨出突条
１７      内筒
１８      ストッパー
１９      連結杆
２０      押ボタン
２１      押圧部
２２      ロック片
【図１】
0005269374.tif 000002
【図２】
0005269374.tif 000003
【図３】
0005269374.tif 000004
【図４】
0005269374.tif 000005